(57)【要約】【課題】  適度な採光性と目隠し性を備え、十分な強度を有し構造が簡単で建物や家具等のあらゆる板材として使用できる建築用パネル材を提供する。【解決手段】  天板３とこれを支持する枠材２を備えた建築用パネル材１であって、前記天板３は透明性と光拡散性を有し、表面が粗面加工されたポリカーボネートからなり、前記枠材２は光拡散性を備えた透明性樹脂材料からなるリブ構造を有する。【選択図】        図１
2005171663.tif 000002
【特許請求の範囲】
【請求項１】
天板とこれを支持する枠材を備えた建築用パネル材であって、
前記天板は透明性と光拡散性を有し、表面が粗面加工されたポリカーボネートからなり、
前記枠材は光拡散性を備えた透明性樹脂材料からなるリブ構造を有することを特徴とする建築用パネル材。
【請求項２】
前記リブ構造は縦横のリブが直交する格子形状であることを特徴とする請求項１に記載の建築用パネル材。
【請求項３】
前記透明性樹脂材料はＦＲＰ（ガラス繊維強化プラスチック）であることを特徴とする請求項１又は２に記載の建築用パネル材。
【請求項４】
前記天板の光拡散性を示すヘーズ値が２０％〜１００％（ＪＩＳ  Ｋ７３６１−１（１９９７））であり、滑り止め性能を示す高分子系張り床材試験方法６．１２による湿潤状態の測定での抵抗係数が０．４〜１．０（ＪＩＳ  Ａ１４５４（１９９８））であることを特徴とする請求項１〜３のいずれかに記載の建築用パネル材。
【発明の詳細な説明】
【技術分野】
【０００１】
本発明は、建物の床材、階段の踏板材、壁材あるいはテーブル等の家具材として用いる建築用パネル材に関する。
【背景技術】
【０００２】
従来、建物の床材や壁材として樹脂材料を格子形状に形成した格子パネルが用いられている。この格子パネルは採光性を確保するとともに目隠し性も考慮したものであるが、格子パネルに対して直角方向からの目隠し性に関しては対応していないため、例えば建物の天井材に用いた場合は天井裏の配線等が見えてしまう等、見栄えが悪くなる場合があり使用場所が限定される。
【０００３】
一方、格子状に組んだ樹脂マットにタイルを取り付けた床材が特許文献１に開示されている。しかしこの床材は樹脂マットの各格子間にそれぞれタイルを取り付ける構造であるため、部品点数が多く、床材の組立作業が面倒である。
【０００４】
【特許文献１】特開平８−１３５１４８号公報
【発明の開示】
【発明が解決しようとする課題】
【０００５】
本発明は、適度な採光性と目隠し性を備え、十分な強度を有し構造が簡単で建物や家具等のあらゆる板材として使用できる建築用パネル材の提供を目的とする。
【課題を解決するための手段】
【０００６】
前記目的を達成するため、請求項１の発明では、天板とこれを支持する枠材を備えた建築用パネル材であって、前記天板は透明性と光拡散性を有し、表面が粗面加工されたポリカーボネートからなり、前記枠材は光拡散性を備えた透明性樹脂材料からなるリブ構造を有することを特徴とする建築用パネル材を提供する。
【０００７】
請求項２の発明では、前記リブ構造は縦横のリブが直交する格子形状であることを特徴としている。
【０００８】
請求項３の発明では、前記透明性樹脂材料はＦＲＰ（ガラス繊維強化プラスチック）であることを特徴としている。
【０００９】
請求項４の発明では、前記天板の光拡散性を示すヘーズ値が２０％〜１００％（ＪＩＳ  Ｋ７３６１−１（１９９７））であり、滑り止め性能を示す高分子系張り床材試験方法６．１２による湿潤状態の測定での抵抗係数が０．４〜１．０（ＪＩＳ  Ａ１４５４（１９９８））であることを特徴としている。
【発明の効果】
【００１０】
請求項1の発明によれば、透明性樹脂材料からなるリブ構造の枠材にポリカーボネートからなる天板を取り付けるため、構造が簡単で組立作業が容易となり、単位厚さあたりの強度が向上し、建築用パネル材の軽量化を図ることができる。他の透明材料であるガラスと比べた場合、単位厚さあたりの強度が強いために、板材を薄くできる。また、ガラスより密度が小さいために重量を軽くできるので、パネル材が大型化しても組立作業が容易である。その他の透明樹脂材料としてはアクリル樹脂や透明塩化ビニール樹脂があるが、アクリル樹脂は、単位厚さあたりの強度が小さく、かつ可燃性樹脂であること、透明塩化ビニール樹脂も単位厚さあたりの強度が小さく、かつ添加される可塑剤が発生する等の問題があるために建材用途としては不向きである。
【００１１】
また、枠材と天板は透明性と光拡散性を有するので適度な採光性と目隠し性を備えた建築用パネル材を得ることができる。また、天板の表面は粗面加工されるので目隠し性を向上するとともに傷が目立ちにくくなり、床材として用いた場合に滑り止めとなる。
【００１２】
請求項２の発明によれば、枠材の強度を高めることができ、さらに十分な強度を有するパネル材を得ることができる。
【００１３】
請求項３の発明によれば、枠材にＦＲＰを用いることにより、強度の高い建築用パネル材を得ることができるとともに、パネル材の軽量化を図ることができる。
【００１４】
請求項４の発明によれば、天板に可視光を照射したときの全透過光に対する拡散透過光の割合である光拡散性を示すヘーズ値が２０％〜１００％（ＪＩＳ  Ｋ７３６１−１（１９９７））であるため、適度な目隠し性を得ることができる。また、天板の表面が高分子系張り床材試験方法６．１２に定める湿潤状態の測定での抵抗係数が０．４〜１．０（ＪＩＳ  Ａ１４５４（１９９８））となるように粗面加工を施すため、目隠し性を向上するとともに傷が目立ちにくくなり、床材として用いた場合に滑り止めとなり歩行時の安全性を高めることができる。
【発明を実施するための最良の形態】
【００１５】
図１は本発明に係る建築用パネル材の概略斜視図であり、図２は図１の分解斜視図である。
図示したように、本発明に係るパネル材１は枠材２と天板３で構成される。枠材２はＦＲＰ（ガラス繊維強化プラスチック）からなり、格子形状のリブ構造を有する。天板３はポリカーボネートからなる板材である。枠材２は外枠４と格子形状を構成するリブ５からなり、各格子は貫通孔６を形成する。これにより、十分な強度を有して、かつ軽量なパネル材１を得ることができる。本発明に係る建築用パネル材は枠材２と天板３のみの簡単な構造で構成され、作業者は枠材２のリブ５表面と天板３を接着剤等により接着してパネル材を作成することができるので、組立作業が容易となる。また、パネル材は軽量であるため、パネル材が大型化しても重くならず、組立作業が容易となる。なお、枠材２と天板３はネジ等の固定手段を用いて接合することも可能である。また、枠材２は丸型や菱形の貫通孔を有するリブ構造やハニカム構造、あるいは対向する１辺の外枠４間に複数本平行に形成されるリブ構造であってもよいし、天板３の全面ではなく一部に設けられる構造であってもよい。また、パネル材の使用用途により、枠材２の両面（表裏面）にそれぞれ天板３を付けてもよい。
【００１６】
枠材２と天板３は透明性と光拡散性を有し、枠材２の貫通孔６からの視認性も天板３の光拡散性により目隠し効果が発揮されるためパネル材全体として適度な採光性と目隠し性を得ることができる。したがって、パネル材１を建物の天井材に用いても天井裏の配線等が見えることはなく、見栄えが悪くなることはない。このため、本発明に係るパネル材１は建物の床材、壁材、天井材、階段の踏板材、あるいはテーブル等の板材等、あらゆる場所に使用することができる。
【００１７】
天板３が有する光拡散性は天板３の表面を粗面加工することで発現してもよいし、天板３の板材内部で光拡散性を発現させてもよい。この光拡散性は、ヘーズ値（曇価値）で定義し、ＪＩＳ  Ｋ７３６１−１に基づく測定方法において、ヘーズ値が２０％〜１００％が好ましく、３５％〜１００％がより好ましい。ここで、「ヘーズ」とは、一般に「透明なプラスチックの内部または表面の不明瞭なくもり様の外観」といったことを意味するものであり、「ヘーズ値」とは、可視光を照射したときの全透過光に対する拡散透過光の割合であり、ヘーズ値が大きいほど光拡散性に優れているものであることが認められる。
【００１８】
本発明に係るパネル材１を床材として使用した場合、目隠し性の向上と滑り止めの機能をもたせるために天板３の床表面側を粗面加工することが好ましい。この滑り止め性能は、ＪＩＳ  Ａ１４５４の高分子系張り床材試験方法６．１２による湿潤状態の測定結果の滑り抵抗係数（ＣＲＳ値）によって評価する。天板３に使用するポリカーボネートのＣＲＳ値が好ましくは０．４〜１．０、より好ましくは０．６〜１．０、更に好ましくは０．８〜１．０の滑り止め性能が発現するように粗面加工を行う。
【００１９】
天板３の板材表面の粗面加工方法は、成形時に凹凸面の付いた金型等で成形してもよいし、平滑な板材を成形後に表面加工してもよい。板材の表面の粗面加工形状は、凹凸の形状が砂状、球状、矩形状、もしくはそれらを組み合わせたものでも構わない。
【００２０】
また、粗面加工することにより表面に傷がついた場合には予め粗面加工してあるので傷の発生を目立たなくすることができる。
【実施例１】
【００２１】
図３は本発明に係る建築用パネル材を住宅用階段の最上部の踊り場の床材として使用したときの（Ａ）は上面図、（Ｂ）は（Ａ）のＡ−Ａ断面図である。
本実施例におけるパネル材１の枠材２の大きさは、縦長さＣが９００ｍｍ、幅長さＤが７５０ｍｍ、厚さＥが４０ｍｍである。枠材２はリブ５が直交する格子形状のリブ構造を有する。貫通孔６を挟んだリブ５の間隔Ｆは枠材２の縦方向、幅方向ともに４０ｍｍである。リブ５の側面は上面側（天板３側）に向かって細くなるテーパ形状を有しており、貫通孔６の上面側の開口面積が下面側より広い。リブ５は透明性樹脂材料であるＦＲＰ（ガラス繊維強化プラスチック）で構成される。
【００２２】
パネル材１を踊り場の床材として取付ける場合、まず、階段の踊り場の木材からなる梁７と枠材２の両側縦辺端部との重なりの縦長さＣが９００ｍｍ、幅長さＧが５０ｍｍとなるように設置する。次に、枠材２の縦方向のすべてのリブ５の上面にアクリル系の４ｍｍ幅両面接着テープ８を貼付し、その上に縦９００ｍｍ幅７５０ｍｍ厚さ５ｍｍの大きさで両面が粗面加工されたポリカーボネートなる天板３を、枠材２の上面に両面接着テープ８を介して載置して固定する。なお、両面接着テープ８は幅方向のリブ５のみ、あるいは縦と幅方向のリブ５の両方の上面に貼付してもよい。この後、建築用パネル材１の端部と梁７との重なり部分で、天板３の上部から梁７に向かって長さ６０ｍｍの木ネジ９を用い、パネル材１を梁７に確実に固定する。この木ネジ９はピッチＨが２００ｍｍ〜２５０ｍｍであり、天板３の一辺に５箇所取付けられる。
【００２３】
厚さ５ｍｍのポリカーボネートからなる天板３は、粗面加工されているためにポリカーボネート単体でのヘーズ値はヘーズ測定器（スガ試験機製、ＨＧＭ-２Ｂ）にて測定した結果、５０％であり、また、ＪＩＳ  Ａ１４５４（１９９８）の高分子系張り床材試験方法６．１２による湿潤状態の測定による滑り抵抗係数は、０．９４２であった。
【００２４】
本建築用パネル材１は床材として機能し、本床材を階段下階から目視すると、適度な透明性と光拡散性を有し、また、踊り場を歩行すると適度な滑り止め効果があった。
【００２５】
なお、本実施例では建築用パネル材１を住宅用階段の最上部の踊り場の床材として使用した実施例を示したが、この用途に限定するものではない。したがって、パネル材１の被取付部材は梁７だけでなく、コンクリートや方立て、Ｈ鋼等の建築構造体を使用できる。
【実施例２】
【００２６】
図４は本発明に係る建築用パネル材を梁に取付けた状態の一例を示す概略断面図である。
本実施例のパネル材１（枠材２と天板３）の構造は実施例１と同様である。枠材２の上面が広く開口した貫通孔６には取付具１０が挿入され、貫通孔６の内部傾斜面（リブ５側面）に係合する。このとき、ゴム１１を介して取付具１０を挿入すれば、その摩擦力によりさらに係合が強固となり、取付具１０の貫通孔６に対する寸法誤差を吸収できる。梁７の上面にはゴム等のシート１２が貼り付けられる。この状態で梁７に枠材２を載置し、取付具１０の中央上部から梁７に向かい木ネジ９で固定する。この後、天板３を枠材２上に取付けてパネル材１は梁７に取付けられる。
【００２７】
これにより、本建築用パネル材１は床材として機能し、本床材を階段下階から目視すると、適度な透明性と光拡散性を有し、また、踊り場を歩行すると適度な滑り止め効果があった。
【図面の簡単な説明】
【００２８】
【図１】本発明に係る建築用パネル材の概略斜視図。
【図２】図１の分解斜視図。
【図３】本発明に係る建築用パネル材を住宅用階段の最上部の踊り場の床材として使用したときの（Ａ）は上面図、（Ｂ）は（Ａ）のＡ−Ａ断面図。
【図４】本発明に係る建築用パネル材を梁に取付けた状態の一例を示す概略断面図
【符号の説明】
【００２９】
１：パネル材、２：枠材、３：天板、４：外枠、５：リブ、６：貫通孔、７：梁、８：両面接着テープ、９：木ネジ、１０：取付具、１１：ゴム、１２：シート。
【図１】
2005171663.tif 000003
【図２】
2005171663.tif 000004
【図３】
2005171663.tif 000005
【図４】
2005171663.tif 000006